(57)【要約】【課題】簡易な構成により、重送や角折れといった給紙不良を改善しつつ小型化を可能とする。【解決手段】記録材収納体１０の前端壁部１１１に設けたシート案内面１１１ａへの分離爪１０５の当接位置に対して、シート状記録材Ｐの記録材収納体１０への当接位置をシート状記録材Ｐの給紙方向上流側に配置し、または記録材収納体１０に設けたシート案内面１１１ａの前端縁の位置を分離爪１０５の当接位置より高くなるように配置したことによって、シート状記録材Ｐに対して必要な搬送力と、分離爪１０５でシート状記録材Ｐを分離させるために必要な搬送力とを別個に分散させて積載板１０２の押圧力を低く抑えることを可能としつつ、分離爪１０５に至る前の分離（プレ分離）によって分離爪１０５による捌き作用をより確実に行うように構成したもの。【選択図】      図３
2007297187.tif 000002
【特許請求の範囲】
【請求項１】
複数枚のシート状記録材を積載状に収納する記録材収納体と、
前記記録材収納体に収納されたシート状記録材に圧接して回転することにより前記シート状記録材の給紙を行う回転給送体と、
前記記録材収納体に設けられ、前記回転給送体によって給紙されるシート状記録材の端部に当接して該シート状記録材を分離する分離爪と、を有する給紙装置において、
前記記録材収納体の給紙方向前端部には、前記シート状記録材を給紙方向に案内するシート案内面が形成され、
そのシート案内面は、前記シート状記録材の給紙方向前端部が前記分離爪に当接する前に前記シート状記録材の案内を開始するように配置されていることを特徴とする給紙装置。
【請求項２】
複数枚のシート状記録材を積載状に収納する記録材収納体と、
前記記録材収納体に収納されたシート状記録材に圧接して回転することにより前記シート状記録材の給紙を行う回転給送体と、
前記記録材収納体に設けられ、前記回転給送体によって給紙されるシート状記録材の端部に当接して該シート状記録材を分離する分離爪と、を有する給紙装置において、
前記記録材収納体の給紙方向前端部には、前記シート状記録材を給紙方向に案内するシート案内面が形成され、
そのシート案内面は、前記シート状記録材の案内を行いつつ前記分離爪による分離を行わせるように配置されていることを特徴とする給紙装置。
【請求項３】
複数枚のシート状記録材を積載状に収納する記録材収納体と、
前記記録材収納体に収納されたシート状記録材に圧接して回転することにより前記シート状記録材の給紙を行う回転給送体と、
前記記録材収納体に設けられ、前記回転給送体によって給紙されるシート状記録材の端部に当接して該シート状記録材を分離する分離爪と、を有する給紙装置において、
前記記録材収納体の給紙方向前端部には、前記シート状記録材を給紙方向に案内するシート案内面が形成され、
前記分離爪は、前記シート状記録材が前記シート案内面により案内されているときに当該シート状記録材の分離を行うように配置されていることを特徴とする給紙装置。
【請求項４】
前記分離爪が、給紙されるシート状記録材に当接して該シート状記録材を分離する分離位置は、前記シート案内面の給紙方向最上流位置より給紙方向下流の位置であって、前記シート案内面の給紙方向最下流位置と給紙方向において同一または上流の位置に配置されていることを特徴とする請求項１または請求項２または請求項３に記載の給紙装置。
【請求項５】
前記分離爪が、給紙されるシート状記録材に当接して該シート状記録材を分離する分離位置は、前記シート案内面の給紙方向最上流位置より上方の位置であって、前記シート案内面の給紙方向最下流位置と給紙方向において同一または下方に配置されていることを特徴とする請求項１または請求項２または請求項３に記載の給紙装置。
【請求項６】
前記録材収納体の給紙方向前端壁部は、前記シート状記録材の給紙方向前端縁が当接して位置規制するように構成され、
その記録材収納体の前端壁部に前記シート案内面が形成されていることを特徴とする請求項１または請求項２または請求項３に記載の給紙装置。
【請求項７】
前記シート案内面が、給紙方向に向かって高くなるように延在する傾斜面または階段状の段差を備えていることを特徴とする請求項１または請求項２または請求項３に記載の給紙装置。
【請求項８】
請求項１ないし請求項７のいずれかに記載された給紙装置と、
その給紙装置から給紙されたシート状記録材に対して所望の画像を形成する画像形成手段と、
を有することを特徴とする給紙装置を備えた画像形成装置。
【発明の詳細な説明】
【技術分野】
【０００１】
本発明は、記録材収納体内に積載収納したシート状記録材を１枚ずつ分離して給紙するように構成された給紙装置およびそれを備えた画像形成装置に関する。
【背景技術】
【０００２】
一般に、複写機、プリンタ等の各種画像形成装置には、例えば下記の特許文献１に開示されているように、画像形成部へ記録用紙等のシート状記録材を自動給紙するための給紙装置が広く採用されている。その給紙装置を構成する給紙カセット（記録材収納体）は、画像形成装置の本体部に対して着脱される構成になされており、上方へ付勢した積載板上に複数枚の記録紙等からなるシート状記録材が積載状に収納され、その給紙カセット内に収納された記録用紙等のシート状記録材が、給紙ローラ（回転給送体）の回転駆動に従って引き出されるとともに、分離爪により１枚ずつに分離されて画像形成部へ給紙されるようになっている。
【０００３】
【特許文献１】特開平８−１２１１５号公報
【発明の開示】
【発明が解決しようとする課題】
【０００４】
このような給紙カセットを備えた給紙装置には、多様な種類のシート状記録材が用いられる可能性があるが、そのような多種類のシート状記録材を同一の給紙装置で給紙しようとすると、各シート状記録材の剛性や摩擦係数等の諸特性が相違することによって、分離爪を離れるタイミングや給紙ローラにおけるスリップ状態がそれぞれ異なることとなるため、シート状記録材の分離作用が不安定になって重送が発生したり、分離爪からの紙抜け性が悪化することによりシート状記録材の角折れ等の問題を生じてしまうことがある。
【０００５】
また、画像形成装置の小型化を図るために、分離爪を抜けた直後のシート状記録材を略垂直方向に湾曲させて搬送させることが従来から行われているが、その場合には、略垂直方向に搬送する搬送路で、特に坪量が大きいシート状記録材に対する分離爪からの紙抜けに大きな搬送力が必要になるとともに、略垂直に搬送されるシート状記録材の先端における抗力が増大する等の原因により比較的大きな搬送力が必要となる。その結果、給紙ローラの搬送力不足によるスリップが発生し易くなり、いわゆるジャム状態を招来するおそれが強くなる。
【０００６】
そのような搬送力不足を解消するためには、シート状記録材を保持する積載板の上方付勢力を強くし、それによってシート状記録材の給紙ローラへの押付け力を増大することが考えられるが、その場合には、特に坪量の小さいシート状記録材を用いた際に複数枚が同時に送られて、重送状態が発生しやすくなるという問題がある。
【０００７】
そこで本発明は、上記問題点を鑑みて、簡易な構成により、重送や角折れといった給紙不良を改善し、しかも小型化を図ることができるようにした給紙装置およびそれを備えた画像形成装置を提供することを目的とする。
【課題を解決するための手段】
【０００８】
上記目的を達成するため、本発明にかかる給紙装置およびそれを備えた画像形成装置では、複数枚のシート状記録材を積載状に収納する記録材収納体と、前記記録材収納体に収納されたシート状記録材に圧接して回転することにより前記シート状記録材の給紙を行う回転給送体と、前記記録材収納体に設けられ、前記回転給送体によって給紙されるシート状記録材の端部に当接して該シート状記録材を分離する分離爪と、を有する給紙装置において、前記記録材収納体の給紙方向前端部には、前記シート状記録材を給紙方向に案内するシート案内面が形成され、そのシート案内面は、前記シート状記録材の給紙方向前端部が前記分離爪に当接する前に前記シート状記録材の案内を開始するように配置されている。
【０００９】
また、本発明にかかる給紙装置およびそれを備えた画像形成装置では、複数枚のシート状記録材を積載状に収納する記録材収納体と、前記記録材収納体に収納されたシート状記録材に圧接して回転することにより前記シート状記録材の給紙を行う回転給送体と、前記記録材収納体に設けられ、前記回転給送体によって給紙されるシート状記録材の端部に当接して該シート状記録材を分離する分離爪と、を有する給紙装置において、前記記録材収納体の給紙方向前端部には、前記シート状記録材を給紙方向に案内するシート案内面が形成され、そのシート案内面は、前記シート状記録材の案内を行いつつ前記分離爪による分離を行わせるように配置されている。
【００１０】
さらにまた、本発明にかかる給紙装置およびそれを備えた画像形成装置では、複数枚のシート状記録材を積載状に収納する記録材収納体と、前記記録材収納体に収納されたシート状記録材に圧接して回転することにより前記シート状記録材の給紙を行う回転給送体と、前記記録材収納体に設けられ、前記回転給送体によって給紙されるシート状記録材の端部に当接して該シート状記録材を分離する分離爪と、を有する給紙装置において、前記記録材収納体の給紙方向前端部には、前記シート状記録材を給紙方向に案内するシート案内面が形成され、前記分離爪は、前記シート状記録材が前記シート案内面により案内されているときに当該シート状記録材の分離を行うように配置されている。
【００１１】
このような構成を有する給紙装置およびそれを備えた画像形成装置によれば、回転給送体の回転駆動により給紙されるシート状記録材の前端縁部分が、まずシート案内面に達して案内が開始された後に分離爪により捌かれることとなるため、シート状記録材に対して必要な搬送力と、分離爪でシート状記録材を分離させるために必要な搬送力とを別個に分散させることが可能となり、その結果、積載板の押圧力を低く抑えることが可能となる。また、分離爪に至る前の分離（プレ分離）が行われるために分離爪による捌き作用がより確実に行われる。
【発明の効果】
【００１２】
以上述べたように本発明にかかる給紙装置およびそれを備えた画像形成装置は、記録材収納体の給紙方向前端部に、シート状記録材が分離爪に当接する前にシート状記録材の案内を開始し、またはシート状記録材の案内を行いつつ分離爪による分離を行わせるシート案内面を配置したことにより、シート状記録材に対して必要な搬送力と、分離爪でシート状記録材を分離させるために必要な搬送力とを別個に分散させ、積載板の押圧力を低く抑えることを可能としつつ、分離爪に至る前の分離（プレ分離）によって分離爪による捌き作用をより確実に行うように構成したものであるから、簡易な構成により、重送や角折れといった給紙不良を改善することができ、小型化を図りつつ装置の信頼性を向上させることができる。
【発明を実施するための最良の形態】
【００１３】
以下、本発明の一実施形態を図面に基づいて詳細に説明する。
図１は、本発明の一実施形態にかかる給紙装置が組み込まれた画像形成装置としてのプリンタの内部構造を示す模式図であるが、そのプリンタ１の本体下部側には、複数枚のカット紙等の記録紙（シート状記録材）が収容される記録材収納体としてのユニバーサルカセット１０が出し入れ自在に装着されているとともに、当該プリンタ１の本体下部側の図示左端側壁部には、葉書などの小サイズのシート状記録材を給紙可能とする矩形状の手差しトレイ１１が設けられている。この手差しトレイ１１は、下端側辺部を中心として回動する構成になされており、カット紙などのシート状記録材を載置可能とするように略水平となる位置まで開放される構成されている。また、当該プリンタ１の上面部分には、画像が形成された記録紙等のシート状記録材が積載される排紙積載部１９が略水平方向に延在するように配置されている。
【００１４】
このプリンタ１の画像形成部の構成を画像形成手順に従って説明すると、図示しない画像情報出力装置よりプリンタ１へ送信された画像情報は、同じく図示しない電子信号変換機により周知のレーザー照射装置１３へ電気信号として送られ、それに応じたレーザー照射タイミングにて前記レーザー照射装置１３から出射されるレーザー光（二点斜線）が、帯電ローラ１４により一様に帯電された感光ドラム１５の表面に照射され、これにより前記感光ドラム１５の表面上に静電潜像が形成される。その感光ドラム１５上の静電潜像は、現像装置１６から供給された現像剤により現像されトナー画像になされる。
【００１５】
一方、上述したユニバーサルカセット１０における給紙方向の前端側部分（図示左端部分）の斜め上方位置には、記録紙等のシート状記録材を矢印Ａ方向（給紙方向）に給紙させる回転給送体としての半月給紙ローラ１０１が設けられているとともに、前記ユニバーサルカセット１０の内部側には、図２および図３にも示されているように、シート状記録材を保持する積載板１０２が傾斜面を形成するように配置されている。この積載板１０２は、給紙方向の後端縁部（図１の右端縁部）を中心として前端側部分（図１の左端側部分）が上下方向に揺動する構成になされていて、その揺動側部分である前端側部分に対して下面側から圧接するように配置された押圧バネ１０３の付勢力により、前記積載板１０２の前端側部分が、その上方位置に配置された前記半月給紙ローラ１０１に向かって押し上げられるようになっている。
【００１６】
また、前記ユニバーサルカセット１０の内部側には、シート状記録材の両側端面に当接するように配置された整合板１０４ａ，１０４ｂが、矢印Ｃ方向である紙幅方向に沿って移動自在にそれぞれ取り付けられており、使用されるシート状記録材のサイズに応じてそれら両整合板１０４ａ，１０４ｂどうしの間隔が調整されるようになっている。これらの各整合板１０４ａ，１０４ｂには、前記シート状記録材の給紙方向の前方側端部に、シート状記録材の両端縁角端を抑え込むように構成された分離爪１０５ａ，１０５ｂが設けられている。
【００１７】
そして、上述した半月給紙ローラ１０１が、図１中の矢印Ｂ方向に回転駆動されることによって、シート状記録材を保持する前記積載板１０２が所定の高さまで押し下げられつつシート状記録材の給紙が行われると、前記ユニバーサルカセット１０の給紙側部分（図示左端側部分）に配置された分離爪１０５ａ，１０５ｂの捌き作用によって前記シート状記録材が一枚ずつに分離される構成が採用されている。このシート状記録材を分離する構成および作用については、本願発明の要部であることから後段において詳細に説明することとする。
【００１８】
前記半月給紙ローラ１０１によりユニバーサルカセット１０から送り出された記録紙などのシート状記録材は、図１中に示された搬送ローラ１０６からレジストローラ対１０７に搬送されていくが、そのレジストローラ対１０７の直前位置にはシート状記録材の先端を検知可能とするレジストセンサ１０７ａが配置されている。そして、そのレジストセンサ１０７ａにより記録紙先端が検知されると、上述したレジストローラ対１０７が所定の時間停止されることにより適宜のループが形成されてシート状記録材の斜行状態が矯正される。その後、レジストローラ対１０７が適宜のタイミングで回転を開始され、そのレジストローラ対１０７の回転駆動動作によって、シート状記録材の先端が整合された状態で転写ローラ１７に搬送されていき、当該転写ローラ１７の転写作用によって感光ドラム１５上のトナー像がシート状記録材上に移動させられる。
【００１９】
トナー像が転写されたシート状記録材は、装置本体の上方位置に配置された定着器１８に搬送される。定着器１８内には、ヒートローラ１８ａおよびプレスローラ１８ｂが配置されており、これら２つのローラ１８ａ，１８ｂにシート状記録材が挟まれながら搬送されることによって当該シート状記録材に対してトナー像が定着される。このようにしてトナー像が定着されたシート状記録材は、前記定着器１８から排出されて排紙積載部１９上に積載される。なお、転写後に感光ドラム１５の表面に残留した現像剤はクリーニング装置１５ａによって掻き落とされる。
【００２０】
また、上述した手差しトレイ１１からシート状記録材を給紙することもできるが、その手差しトレイ１１から給紙されたシート状記録材に対して画像が形成される手順は、上述した工程と同様のものである。
【００２１】
ここで、特に図３に示されているように、上述したユニバーサルカセット１０を構成している平面略矩形状の周壁部のうち、給紙方向（図３の左方向）の前端位置に立設された前端壁部１１０は、当該ユニバーサルカセット１０の内部に収納されたシート状記録材の給紙方向の前端縁部が給紙時に当接する構成になされており、それによってシート状記録材の位置規制が行われるようになっている。
【００２２】
また、そのユニバーサルカセット１０の前端壁部１１０における紙幅方向の略中央部分には、上方側に突出するように形成された中央壁板１１１が設けられている。当該中央壁板１１１は、上述した分離爪１０５ａ，１０５ｂよりも上方側に突出するように立設されており、当該中央壁板１１１の上端部分には、カセット内部側から外部側（図３の右方側から左方側）に向かって急激に高くなるように湾曲面状に形成されたシート案内面１１１ａが形成されている。そして、このシート案内面１１１ａのやや窪んだ湾曲面に沿うようにして前記ユニバーサルカセット１０内のシート状記録材がカセット外方に向かって案内されるようにして送り出される構成になされている。
【００２３】
このとき、前記中央壁板１１１に設けられたシート案内面１１１ａは、給紙方向（図３の左方向）の最も内側（図３の右側）に位置するシート進入端１１１ｂから、最も外側に位置するシート離間端１１１ｃまで湾曲凹面状をなすように延在する傾斜案内面から形成されていて、その傾斜案内面からなるシート案内面１１１ａの途中位置には、上述した分離爪１０５における給紙方向（図３の左方向）の前端縁１０５ｃが、側面側から見たときにほぼ当接する位置に配置されている。そして、その分離爪１０５の当接点である前端縁１０５ｃに対して、前記シート案内面１１１ａのシート進入端１１１ｂ、すなわちシート状記録材の前端縁が当接する前端壁部１１０の最上端位置１１１ｂは、前記シート状記録材の給紙方向において上流側（図３の右方側）に配置された構成になされている。
【００２４】
したがって、前記シート案内面１１１ａは、シート状記録材の給紙方向前端部が前記分離爪１０５に当接する前にシート状記録材の案内を開始するように配置されていて、シート状記録材の案内を行いつつ前記分離爪１０５による分離を行わせるように配置されている。一方、前記分離爪１０５は、前記シート状記録材がシート案内面１１１ａにより案内されているときに当該シート状記録材の分離を行うように配置されている。
【００２５】
ここで、本実施形態におけるシート案内面１１１ａのシート進入端１１１ｂは、上述した分離爪１０５の前端側当接点である前端縁１０５ｃに対して、給紙方向（図３の左方向）に２ｍｍだけ上流側に配置されている。また、前記シート案内面１１１ａのシート離間端１１１ｃは、半月給紙ローラ１０１によって押し下げられたときの分離爪１０５の高さ位置よりも８ｍｍだけ高い位置に配置されている。
【００２６】
このような構成を有する給紙装置において、まず図５（ａ）に示されているように、半月給紙ローラ１０１が矢印Ｂ方向に回転駆動されることにより給紙動作が開始されると、シート状記録材Ｐを載せた積載板１０２が下方にやや押し下げられ、さらに半月給紙ローラ１０１が回転することでシート状記録材Ｐが前方に給紙される。
【００２７】
給紙されたシート状記録材Ｐは、その前端縁部分が、前記ユニバーサルカセット１０の前端壁部１１０まで達して当接し、それ同時に、図５（ｂ）に示されているように、当該シート状記録材Ｐの前端縁部分の紙幅方向の中央部分が、前記ユニバーサルカセット１０に設けられたシート案内面１１１ａに沿って持ち上げられるように上方に案内され、そのときに捌かれる。このようにシート状記録材Ｐの前端中央部分がシート案内面１１１ａにより捌かれつつ上方に向けて送られた後に、当該シート状記録材Ｐの前端角部に配置されている分離爪１０５により一枚ずつ分離するように捌かれる。
【００２８】
このように本実施形態では、半月給紙ローラ１０１によってユニバーサルカセット１０の上方に向かってシート状記録材Ｐの搬送が行われた後に分離爪１０５による捌きが行われるため、シート状記録材Ｐに対して必要な搬送力と、分離爪１０５においてシート状記録材を分離させるために必要な搬送力とを別個に分散させることが可能となり、その結果、積載板１０２の押圧力を低く抑えることが可能となる。
【００２９】
また、ユニバーサルカセット１０に設けられたシート案内面１１１ａによって分離爪１０５に至る前の分離（プレ分離）が行われるため、分離爪１０５による捌きをより確実に行わせることが可能となる。
【００３０】
このとき、例えば図５（ｃ）に示されているように、上述した分離爪１０５で一枚に分離ができずに例えば２枚のシート状記録材Ｐ，Ｐ’がシート案内面１１１ａに沿って送られた場合には、当該２枚のシート状記録材Ｐ，Ｐ’の各前端縁部分は、シート案内面１１１ａの湾曲凹面状のシート案内面１１１ａにならうように湾曲する。そして、その湾曲したシート状記録材Ｐ，Ｐ’が、シート案内面１１１ａの後端側のシート離間端１１１ｃに達した時に、図５（ｄ）に示されているように、一番上面にあるシート状記録材Ｐが先にシート案内面１１１ａの規制作用を失う。その結果、その一番上面にあるシート状記録材Ｐが、それ自体の腰によって湾曲状態が解除されることとなり、給紙方向の下流側に向かって略直線状に延びた状態となる。
【００３１】
そして、その略直線状に延びたシート状記録材Ｐは、装置本体側に設けられた前記搬送ローラ１０６のニップ作用によって、当該シート状記録材Ｐの一枚のみが搬送されることとなる。このように本実施形態にかかる給紙装置を用いれば、ユニバーサルカセット１０からシート状記録材を重送なく確実に送ることが可能となるとともに、積載板１０２の押圧力を低く抑えることによって装置全体のコンパクト化を図ることが可能となる。
【００３２】
また、上述した実施形態と同一の構成物に対して同一の符号を付した図６にかかる第２の実施形態においては、ユニバーサルカセット２０の前端壁部の一部を構成する中央壁板２１１に設けられたシート案内面２１１ａには、階段状をなすように形成された突起２１１ｂが複数設けられている。そして、分離爪１０５でシート状記録材を一枚に分離することができなかった場合には、図６（ａ）に示されているように、例えば２枚のシート状記録材Ｐ，Ｐ’の前端縁が階段状の突起２１１ｂに接触する。
【００３３】
さらに、上述した２枚のシート状記録材Ｐ，Ｐ’の前端部分は、図６（ｂ）に示されているように、湾曲凹面状のシート案内面２１１ａにならうようにして湾曲することとなるが、その湾曲したシート状記録材Ｐ，Ｐ’のうちの下方側にあるシート状記録材Ｐ’が前記突起２１１ｂに止められることとなり、その結果、最上位置にあるシート状記録材Ｐが、それ自体の腰（剛性）によって湾曲状態が解除され、給紙方向の下流側に向かって略直線状に延びた状態になされる。
【００３４】
その略直線状に延びたシート状記録材Ｐは、装置本体側に設けられた搬送ローラ１０６のニップ作用によって当該シート状記録材Ｐの一枚のみが搬送されることとなり、上述した第１の実施形態と同様に、ユニバーサルカセット２０からシート状記録材を重送なく確実に送ることが可能となるとともに、積載板１０２の押圧力を低く抑えることによって装置全体のコンパクト化を図ることが可能となる。
【００３５】
以上、本発明者によってなされた発明の実施形態を具体的に説明したが、本発明は上記実施形態に限定されるものではなく、その要旨を逸脱しない範囲で種々変形可能であることはいうまでもない。
【００３６】
例えば、上述した各実施形態は、プリンタに本発明を適用したものであるが、本発明はそれに限定されることなく、その他の画像形成装置に対しても同様に適用することが可能である。
【産業上の利用可能性】
【００３７】
以上述べたように本発明にかかるプリンタなどをはじめとした多種多様な画像形成装置に対して広く適用することが可能である。
【図面の簡単な説明】
【００３８】
【図１】本発明の給紙装置が組み込まれた画像形成装置の一例であるプリンタの内部構造を示す模式図
【図２】本発明の第１実施形態におけるユニバーサルカセットの概略構造を表した外観斜視図である。
【図３】図２に表されたユニバーサルカセットの前端部分を拡大して表した模式的外観斜視図である。
【図４】図２および図３に表されたユニバーサルカセットの前端部分を拡大して表した縦断面説明図である。
【図５】本発明の第１の実施形態におけるユニバーサルカセットを用いた場合の給紙開始状態を表した部分縦断面説明図であって、（ａ）は給紙開始状態、（ｂ）はシート状記録材の持ち上がり捌き状態、（ｃ）は２枚のシート状記録材による給紙開始状態、（ｄ）は上方側のシート状記録材の湾曲解除状態をそれぞれ表したものである。
【図６】本発明の第２の実施形態におけるユニバーサルカセットを用いた場合の給紙状態を表した部分縦断面説明図であって、（ａ）は２枚のシート状記録材による給紙開始状態、（ｂ）は上方側のシート状記録材の湾曲解除状態をそれぞれ表したものである。
【符号の説明】
【００３９】
１  プリンタ
１０  ユニバーサルカセット（記録材収納体）
１５  感光ドラム
１０１  半月給紙ローラ（回転給送体）
１０２  積載板
１０３  押圧バネ
１０４ａ，１０４ｂ  整合板
１０５ａ，１０５ｂ  分離爪
１０５ｃ  前端縁（当接点）
１１０  前端壁部
１１１  中央壁板
１１１ａ  シート案内面
１１１ｂ  シート進入端
１１１ｃ  シート離間端
Ｐ，Ｐ’  シート状記録材
２０  ユニバーサルカセット
２１１  中央壁板
２１１ａ  シート案内面
２１１ｂ  突起
【図１】
2007297187.tif 000003
【図２】
2007297187.tif 000004
【図３】
2007297187.tif 000005
【図４】
2007297187.tif 000006
【図５】
2007297187.tif 000007
【図６】
2007297187.tif 000008